(57)【要約】      （修正有）【課題】両扉のうちの一方のみを必要に応じて開けることができ、他方は閉止状態に保持できるなど、使い勝手がよいペット収納展示用ケースを提供する。【解決手段】閉止金具７ａ，７ｂの閂部材１０を係止部６ａ，６ｂに係止することにより両扉を閉止状態に保たれる。閉止金具７ａ，７ｂは支持基板８に筒状カバー９をビス止めにより被着してなり、一端に摘子部が形成された一対の閂部材１０を該摘子部が内側となるように前記支持基板８の水平方向一直線上に夫々進退自在なるように軸支すると共に、該閂部材１０を夫々外方に付勢するバネ１２を設け、筒状カバー９には閂部材１０の摘子部を突出させる一対のガイド孔１４を形成し、該ガイド孔１４の内端部に鉤状に折れ曲がる係合部１４ａを夫々形成し、閂部材１０を前記バネ１２の弾性に抗して内方に摺動させたとき前記摘子部を該係合部１４ａに係合させる。【選択図】図２
2008178299.tif 000002
【特許請求の範囲】
【請求項１】
一面の開口に一対の扉を観音開きできるように枢着すると共に、該両扉の自由端寄りの上縁および下縁に夫々上下方向に拡張する係止部を形成し、該開口の上縁の中央部と下縁の中央部に夫々設けられた閉止金具の閂部材を前記係止部に係止することにより該両扉を閉止状態に保つペット収納展示用ケースであって、該閉止金具は支持基板に筒状カバーをビス止めにより被着してなり、一端に摘子部が形成された一対の閂部材を該摘子部が内側となるように前記支持基板の水平方向一直線上に夫々進退自在なるように軸支すると共に、該閂部材を夫々外方に付勢するバネを設け、筒状カバーには閂部材の摘子部を突出させる一対のガイド孔を形成し、該ガイド孔の内端部に鉤状に折れ曲がる係合部を夫々形成し、閂部材を前記バネの弾性に抗して内方に摺動させたとき前記摘子部を該係合部に係合させられるようにしたことを特徴とするペット収納展示用ケース。
【発明の詳細な説明】
【技術分野】
【０００１】
本発明は、犬、猫等のペット（愛玩動物）を販売するペットショップ等にペットを展示用として収納するために設けられるケースの構造に関するものである。
【背景技術】
【０００２】
犬、猫等のペットを収納し展示するためにペットショップにて使用されるペット収納展示用ケースは、従来から扉を閉止状態に保つための閂錠を設けたものがあった。
また、下記特許文献１には、閂部材により扉どうしを連結する観音開き式扉のロック構造が示されている。
【特許文献１】特開平１０−２４６０５１号公報
【発明の開示】
【発明が解決しようとする課題】
【０００３】
ところで、ペット収納展示用ケースの扉は、内部を掃除するためには一面を大きく全開できる構造であることがよく、また、ペットを出し入れする際には、ペットが逃げ出すのを防ぐために半部程度開かれるようになっていることが望ましい。しかし、従来のペット収納展示用ケースは、このような要請に応じられなかった。また上記特許文献１に示された観音開き式扉にあっても、ロックを解除することにより両側の扉が同時に開閉自在となるので、ペット収納展示用ケースの扉としては使い勝手が悪いものであった。
また、従来の閂錠は、構成部材を溶接やカシメ、リベット等により固着して組み立てられていたので、内部がペットの餌や糞などで汚れたり、さらにはそのために摘子の摺動が悪くなっても、分解掃除ができず、そのような場合、閂錠を新規なものに交換するしかないという問題があった。
また、従来の閂錠は、閂部材をバネにより閉止方向に付勢した構造ではなかったので、閂部材が開方向に移動していて扉が不意に開いてしまったり、扉の閉め忘れによりペットが逃げ出すおそれもあった。
さらに、従来の閂錠は、専ら片開き式扉のために仕様されたものであったので、観音開き式扉に使う場合には２つの閂錠を接近させて取り付ける必要が生じ、そのために取付孔を接近して開けなければならないので、ケースの強度を損なうという問題もあった。
本発明は、このような従来のペット収納展示用ケースの問題点を解決しようとするものである。
【課題を解決するための手段】
【０００４】
そのために本発明は、一面の開口に一対の扉を観音開きできるように枢着すると共に、該両扉の自由端寄りの上縁および下縁に夫々上下方向に拡張する係止部を形成し、該開口の上縁の中央部と下縁の中央部に夫々設けられた閉止金具の閂部材を前記係止部に係止することにより該両扉を閉止状態に保つペット収納展示用ケースであって、該閉止金具は支持基板に筒状カバーをビス止めにより被着してなり、一端に摘子部が形成された一対の閂部材を該摘子部が内側となるように前記支持基板の水平方向一直線上に夫々進退自在なるように軸支すると共に、該閂部材を夫々外方に付勢するバネを設け、筒状カバーには閂部材の摘子部を突出させる一対のガイド孔を形成し、該ガイド孔の内端部に鉤状に折れ曲がる係合部を夫々形成し、閂部材を前記バネの弾性に抗して内方に摺動させたとき前記摘子部を該係合部に係合させられるようにしたことを特徴とする。
【発明の効果】
【０００５】
本発明によれば、両扉のうちの一方のみを必要に応じて開けられ、他方は閉止状態に保持できるので使い勝手がよいと共に、扉が不意に開いてしまうことがない。また、ビスを緩めて筒状カバーを外すことにより内部を簡単に掃除することができ、常に清潔を保つことができメンテナンスも容易になる。さらに、観音開き式扉に対し容易に取り付けられるようになる。
【発明を実施するための最良の形態】
【０００６】
次に本発明の実施形態を図面に従い説明する。図１は本発明に係るペット収納展示用ケースの裏面の斜視図である。このペット収納展示用ケースは、計１２本の中空角パイプ１を枠状に組み合わせることにより直方体に形成され、その前面に内部が透視できるよう透明ガラス２が嵌め込まれ、上面、底面および左右側面には夫々ボード３ａを嵌着してなる。該ケースの内部底面にはトレイ３ａが配置される。該ケースの裏面の開口の両側縁に軸受金具５ａ，５ａ，５ｂ，５ｂを設け、一対の扉４，４を該軸受金具５に枢着することにより、該扉４，４を図示したように観音開きできるようにしている。該扉４，４は、ステンレス鋼筋を縦横に接合することにより格子状に形成したもので、該扉４，４の自由端寄りの上縁および下縁にそのステンレス鋼筋の一部を夫々上下方向に拡張することにより係止部６ａ，６ａ，６ｂ，６ｂを形成している。
【０００７】
７ａ，７ｂはこのペット収納展示用ケースの開口の上縁の中央部と下縁の中央部に夫々設けた閉止金具で、該閉止金具は、図２〜図４に示したように、支持基板８と筒状カバー９とからなる。支持基板８は長方形状のステンレス鋼板をプレス加工することにより、起立片８ａ，８ａ，８ｂ，８ｂを一直線上に定間隔に形成したものである。１０，１０は丸棒の一端を直交方向に折り曲げてＬ字状とし摘子部１０ａ，１０ａを形成すると共に、該丸棒の外周に溝を形成してＥリング１１，１１を固着した閂部材で、該閂部材を該摘子部が内側となるように前記起立片８ａ，８ａ，８ｂ，８ｂに開設された透孔に貫挿することで、該閂部材を水平方向一直線上に夫々摺動自在なるように支持している。該Ｅリング１１，１１と起立片８ａ，８ａとの間にはコイル状のバネ１２，１２を圧縮状態として介在させ、該バネの復元弾性力により該閂部材１０，１０が夫々外方に付勢されるようにしている。なお、１３，１３はＥリング１１，１１が起立片８ｂ，８ｂに当接する際に発する金属音を消すため、該Ｅリング１１，１１と起立片８ｂ，８ｂとの間に介在させた樹脂製ワッシャである。
【０００８】
筒状カバー９は、ステンレス鋼板をプレス加工することにより横断面略コ字形に形成され、支持基板８の起立片８ａ，８ａ，８ｂ，８ｂを覆い得るものであり、該筒状カバー９には閂部材１０，１０の摘子部１０ａ，１０ａを突出させる一対のガイド孔１４，１４を該筒状カバーの長手方向に沿って形成し、該ガイド孔の内端部に鉤状に折れ曲がる係合部１４ａ，１４ａを夫々形成している。そして、このペット収納展示用ケースの裏面の開口の上縁の中央部と下縁の中央部に支持基板８をビス１５，１５により固着すると共に、該支持基板８上に筒状カバー９をビス１６，１６により止着している。このため閂部材１０，１０を前記バネ１２，１２の弾性に抗して内方に摺動させたとき該摘子部１０ａ，１０ａを該係合部１４ａ，１４ａに係合させられる。
【０００９】
このよう構成したペット収納展示用ケースでは、一対の閂部材１０，１０がバネ１２，１２の弾性により外方に付勢されていてその付勢により該閂部材１０，１０がこの閉止金具７ａ，７ｂの両端部から突出した状態に保持され、該閂部材１０，１０が扉４，４の係止部６ａ，６ａ，６ｂ，６ｂに係止し得るものであるので、閂部材が開方向に移動していて扉が不意に開いてしまってペットが逃げ出すようなおそれがない。
そして、摘子部１０ａを摘んで閂部材１０をバネ１２の弾性に抗して内方に摺動させ、該摘子部１０ａを回転させて係合部１４ａに係合させることにより、両扉４，４のうちの一方のみを必要に応じて開けられ、他方は閉止状態に保持することができるので、半部だけ開けることによりペットを出し入れする際等にペットが逃げるのを防ぐと共に、内部を掃除するためには一面を大きく開けることもできるなど使い勝手がよいものとなる。
【００１０】
また、ビス１６，１６を緩めて筒状カバー９を外すことによりその内部のバネ等が露呈するので、ペットの餌や糞などで汚れたり、その汚れのために摘子の摺動が悪くなるようなことがあっても、水洗い等によって簡単に掃除することができ、常に清潔を保つことができると共にメンテナンスも容易になる。
さらには、この閉止金具７ａ，７ｂは、観音開き式扉専用の閉止金具として製作されたものであり、従来の片開き式扉のために製作された閉止金具を使用する場合のように２つを並べて取り付け必要がないので、取り付けが容易であり、取付孔によってケースの強度を損なうおそれもなく、開口の上縁の中央部と下縁の中央部に夫々ビスにより簡単に取り付けることができる。
【００１１】
なお、この実施形態では、格子状の扉４，４をペット収納展示用ケースの裏面開口に観音開きするように設けた例を示したが、板ガラスやボード等からなる扉であってもよく、また、ペット収納展示用ケースの前面開口に一対の扉を観音開きするように設けたものであってもよいことは勿論である。
【図面の簡単な説明】
【００１２】
【図１】本発明の実施形態を示すペット収納展示用ケースの斜視図。
【図２】図１の閉止金具の縦断面図。
【図３】図１の閉止金具の斜視図。
【図４】図３の分解斜視図。
【符号の説明】
【００１３】
４，４        扉
５ａ，５ｂ    軸受金具
６ａ，６ｂ    係止部
７ａ，７ｂ    閉止金具
８            支持基板
９            筒状カバー
１０          閂部材
１０ａ        摘子部
１２          バネ
１４          ガイド孔
１４ａ        係合部
１５，１６    ビス
【図１】
2008178299.tif 000003
【図２】
2008178299.tif 000004
【図３】
2008178299.tif 000005
【図４】
2008178299.tif 000006